(57)【要約】【課題】  多くの衣服ハンガーを識別性良く吊り下げることができ、且つ、吊り下げられた衣服ハンガーの下端部が地面に接触し難い洗濯物干し具を提供する。【解決手段】  本発明の洗濯物干し具１０は、物干し竿３に吊り下げ可能な吊り部１３をそれぞれ有する一対の本体部材１と、前記一対の本体部材１に架設された第１架橋桿２１と、前記一対の本体部材１に架設され且つ前記第１架橋桿２１から間隔を空けて配置された第２架橋桿２２と、を有し、前記吊り部１３が、前記第１架橋桿２１と前記第２架橋桿２２の間に配設されており、前記吊り部１３を前記物干し竿３に吊り下げた際、前記第１架橋桿２１が前記第２架橋桿２２よりも上方に位置するように構成されている。【選択図】  図３
2019000246.tif 000002
【特許請求の範囲】
【請求項１】
物干し竿に吊り下げ可能な吊り部をそれぞれ有する一対の本体部材と、
前記一対の本体部材に架設された第１架橋桿と、
前記一対の本体部材に架設され且つ前記第１架橋桿から間隔を空けて配置された第２架橋桿と、を有し、
前記吊り部が、前記第１架橋桿と前記第２架橋桿の間に配設されており、
前記吊り部を前記物干し竿に吊り下げた際、前記第１架橋桿が前記第２架橋桿よりも上方に位置するように構成されている、洗濯物干し具。
【請求項２】
前記第１架橋桿及び前記第２架橋桿のうち少なくとも何れか一方の架橋桿に、衣服ハンガーの吊り下げ位置のずれを抑制する位置ずれ抑制部材が設けられている、請求項１に記載の洗濯物干し具。
【請求項３】
前記位置ずれ抑制部材が、山部と谷部を交互に繰り返しつつ前記架橋桿の軸方向に延びる波状部材を有しており、
前記波状部材の山部又は谷部が、前記架橋桿に連結されている、請求項２に記載の洗濯物干し具。
【請求項４】
前記第１架橋桿に、衣服ハンガーの吊り下げ位置のずれを抑制する部材であって、山部と谷部を交互に繰り返しつつ前記第１架橋桿の軸方向に延びる第１波状部材が設けられており、
前記第２架橋桿に、衣服ハンガーの吊り下げ位置のずれを抑制する部材であって、山部と谷部を交互に繰り返しつつ前記第２架橋桿の軸方向に延びる第２波状部材が設けられており、
前記吊り部を前記物干し竿に吊り下げた際、前記第１波状部材の谷部の位置と第２波状部材の谷部の位置が、前記物干し竿の軸方向において位置ずれしている、請求項１に記載の洗濯物干し具。
【発明の詳細な説明】
【技術分野】
【０００１】
本発明は、洗濯によって濡れた衣服の掛けられたハンガー（以下、衣服ハンガーと称する）を多数吊り下げることができる洗濯物干し具に関する。
【背景技術】
【０００２】
従来、洗濯によって濡れた衣服を屋内又は屋外で乾かすために物干し竿が用いられている。物干し竿は、例えば、土台によって支持されたり、天井や軒先から吊り下げられることにより、所定の高さにおいて地面と水平に延びるように設けられた棒状の部材である。物干し竿に衣服ハンガーを吊り下げることにより、衣服を乾かすことができる。
一般的に、物干し竿に吊り下げ可能な衣服ハンガーの数は物干し竿の長さに依存する。そのため、物干し竿が長ければ長いほどより多くの衣服ハンガーを吊り下げることができる。しかしながら、あまりに長い物干し竿は使用し難い。
そのため、物干し竿を利用してより多くの衣服ハンガーを吊り下げることのできる洗濯物干し具が求められている。
【発明の開示】
【発明が解決しようとする課題】
【０００３】
本発明の課題は、物干し竿を利用してより多くの衣服ハンガーを吊り下げることのできる洗濯物干し具を提供することである。
【課題を解決するための手段】
【０００４】
本発明の洗濯物干し具は、物干し竿に吊り下げ可能な吊り部をそれぞれ有する一対の本体部材と、前記一対の本体部材に架設された第１架橋桿と、前記一対の本体部材に架設され且つ前記第１架橋桿から間隔を空けて配置された第２架橋桿と、を有し、前記吊り部が、前記第１架橋桿と前記第２架橋桿の間に配設されており、前記吊り部を前記物干し竿に吊り下げた際、前記第１架橋桿が前記第２架橋桿よりも上方に位置するように構成されている。
【０００５】
本発明の洗濯物干し具は、好ましくは、前記第１架橋桿及び前記第２架橋桿のうち少なくとも何れか一方の架橋桿に、衣服ハンガーの吊り下げ位置のずれを抑制する位置ずれ抑制部材が設けられている。
【０００６】
好ましくは、前記位置ずれ抑制部材が、山部と谷部を交互に繰り返しつつ前記架橋桿の軸方向に延びる波状部材を有しており、前記波状部材の山部又は谷部が、前記架橋桿に連結されている。
【０００７】
本発明の洗濯物干し具は、好ましくは、前記第１架橋桿に、衣服ハンガーの吊り下げ位置のずれを抑制する部材であって、山部と谷部を交互に繰り返しつつ前記第１架橋桿の軸方向に延びる第１波状部材が設けられており、前記第２架橋桿に、衣服ハンガーの吊り下げ位置のずれを抑制する部材であって、山部と谷部を交互に繰り返しつつ前記第２架橋桿の軸方向に延びる第２波状部材が設けられており、前記吊り部を前記物干し竿に吊り下げた際、前記第１波状部材の谷部の位置と第２波状部材の谷部の位置が、前記物干し竿の軸方向において位置ずれしている。
【発明の効果】
【０００８】
本発明の洗濯物干し具によれば、第１架橋桿に吊り下げられた衣服ハンガーと第２架橋桿に吊り下げられた衣服ハンガーの間隔を詰めることにより多数の衣服ハンガーを吊り下げることができる。
【図面の簡単な説明】
【０００９】
【図１】第１実施形態に係る洗濯物干し具の、離隔部を水平にした状態における斜視図。
【図２】同洗濯物干し具の側面図。
【図３】同洗濯物干し具を物干し竿に吊り下げた状態を示す側面図。但し、第１及び第２仮想直線を二点鎖線で表し、鉛直線を一点鎖線で表している。
【図４】図３の一部拡大図。但し、弧状部の曲率円を二点鎖線で表し、弧状部の曲率半径と物干し竿の半径を破線で表している。
【図５】同洗濯物干し具を物干し竿に吊り下げ、且つ、第１及び第２架橋桿に衣服ハンガーを吊り下げた状態を示す側面図。
【図６】第２実施形態に係る洗濯物干し具の斜視図。
【図７】同洗濯物干し具の側面図。但し、仮想円柱部材を一点鎖線で表している。
【図８】同洗濯物干し具の第１架橋桿にピンチ型の衣服ハンガーを吊り下げた状態を示す参考図。但し、第１架橋桿と衣服ハンガーのみを描写している。
【図９】（ａ）及び（ｂ）共に、第３実施形態に係る洗濯物干し具の側面図。
【図１０】第４実施形態に係る洗濯物干し具の斜視図。
【図１１】図１０の洗濯物干し具を白抜き矢印ＸＩで示す方向から観察した背面図。
【図１２】同洗濯物干し具の側面図。
【図１３】第５実施形態に係る洗濯物干し具の斜視図。
【図１４】第６実施形態に係る洗濯物干し具の背面図。
【図１５】第７実施形態に係る洗濯物干し具の背面図。
【図１６】第８実施形態に係る洗濯物干し具の斜視図。
【図１７】同洗濯物干し具を物干し竿に吊り下げ、且つ、第１及び第２架橋桿に衣服ハンガーを吊り下げた状態を示す側面図。
【図１８】図１７の洗濯物干し具を白抜き矢印ＸＶＩＩＩで示す方向から観察した正面図。但し、衣服ハンガーの描写は省略しており、第４仮想直線を二点鎖線で表し、鉛直線を一点鎖線で表している。
【図１９】（ａ）及び（ｂ）共に、第９実施形態に係る洗濯物干し具の斜視図。
【図２０】第１０実施形態に係る洗濯物干し具の斜視図。
【図２１】第１１実施形態に係る洗濯物干し具の斜視図。
【図２２】第１２実施形態に係る洗濯物干し具の斜視図。
【図２３】第１３実施形態に係る洗濯物干し具の斜視図。
【図２４】第１４実施形態に係る洗濯物干し具の斜視図。
【図２５】第１５実施形態に係る洗濯物干し具の側面図。
【発明を実施するための形態】
【００１０】
以下、本発明の好ましい実施形態について、適宜図面を参照しつつ具体的に説明する。
なお、本明細書において、洗濯物干し具を構成する各部材の方向性について言及する際、原則として物干し竿に吊り下げられた洗濯物干し具を基準とする（図３参照）。具体的には、「上」は鉛直方向の天側（図３の紙面の上側）であり、「下」は鉛直方向の地側（図３の紙面の下側）である。また、「前」は上下方向及び物干し竿の軸が延びる方向（軸方向）と直交する方向のうち第２架橋桿が位置する側（図３の紙面の左側）であり、「後」は上下方向及び物干し竿の軸方向と直交する方向のうち第１架橋桿が位置する側（図３の紙面の右側）である。また、「幅方向」は、物干し竿の軸方向である。
さらに、本明細書において、「〜」で結ばれた数値は、「〜」の前後の数値を下限値及び上限値として含む数値範囲を意味する。複数の下限値と複数の上限値が別個に記載されている場合、任意の下限値と上限値を選択し、「〜」で結ぶことができる。
【００１１】
以下、図１乃至図５を参照しつつ、本発明の第１実施形態に係る洗濯物干し具１０について説明した後、第２乃至第１５実施形態に係る洗濯物干し具１０について順番に説明する。第２乃至第１５実施形態に係る洗濯物干し具１０については、これまでに説明した洗濯物干し具１０との相違点について説明し、共通する構成及び作用・効果については説明を適宜省略する。各図における、厚み及び大きさなどの寸法は、実際のものとは異なっている点に留意されたい。
【００１２】
［第１実施形態］
図１乃至図５に示すように、本発明の洗濯物干し具１０は、少なくとも、物干し竿３に吊り下げ可能な一対の本体部材１と、前記一対の本体部材１に架設された第１架橋桿２１と第２架橋桿２２と、を有する。
【００１３】
本体部材１は、物干し竿３に吊り下げられることにより、本体部材１に架設された第１架橋桿２１及び第２架橋桿２２を間接的に物干し竿３に吊り下げる部材である。
本実施形態では、一対の本体部材１は、それぞれ、第１架橋桿２１と第２架橋桿２２を前後方向に離隔させる離隔部１１と、洗濯物干し具１０を持ち運び容易にする取手部１２と、物干し竿３に吊り下げられる吊り部１３と、を有する。
本実施形態では、離隔部１１は、第１架橋桿２１の端部と第２架橋桿の端部に連結された、真っ直ぐに延びる細い棒状の部分である。
【００１４】
取手部１２は、離隔部１１の前後方向における中途部において上方に突出した部分である。物干し竿３から洗濯物干し具１０を取り外す際、使用者の手が衣服ハンガーに触れると、衣服ハンガーが第１架橋桿２１又は第２架橋桿２２から脱落して地面に落ちる可能性がある。この点、取手部１２が設けられていれば、洗濯物干し具１０の上方から衣服ハンガーに触れることなく取手部１２を掴んで洗濯物干し具１０を物干し竿３から取り外すことができる。
本実施形態では、図３に示すように、取手部１２は側面視において逆Ｖ字状の部分とされている。また、本実施形態では、取手部１２のＶ字の開口部が上述した離隔部１１の一部によって閉塞されることにより、側面視三角形状の環が構成されている。この環に指を入れて取手部１２を掴むことにより、洗濯物干し具１０を容易に物干し竿３から取り外すことができる。以下、取手部１２のＶ字の開口部を閉塞する離隔部１１の一部を、閉塞部１１１と称する。
本実施形態では、取手部１２のＶ字は、第１架橋桿２１に寄った第１辺１２１と第２架橋桿２２に寄った第２辺１２２によって構成されており、第１辺１２１と第２辺１２２は同じ長さとされている。また、閉塞部１１１の長さは、第１辺１２１と第２辺１２２よりも長い。そのため、本実施形態では、取手部１２及び閉塞部１１１によって構成される環は、側面視二等辺三角形状である。もっとも、第１辺１２１と第２辺１２２は、互いに異なる長さであってもよい（図示せず）。また、第１辺１２１と第２辺１２２と閉塞部１１１の長さは、全て同じであってもよく、この場合、取手部１２及び閉塞部１１１によって構成される環は、側面視正三角形状となる（図示せず）。
閉塞部１１１の長さ並びに取手部１２のＶ字を構成する第１辺１２１及び第２辺１２２の長さは特に限定されないが、これらがあまりに短いと、取手部１２と閉塞部１１１によって構成される環が小さくなり過ぎる虞がある。そのため、閉塞部１１１の長さは、７ｃｍ〜１５ｃｍであることが好ましく、８ｃｍ〜１２ｃｍであることがより好ましい。また、第１辺１２１及び第２辺１２２の長さは、それぞれ５ｃｍ〜２０ｃｍであることが好ましく、７ｃｍ〜１４ｃｍであることがより好ましい。
なお、取手部１２の形状は側面視逆Ｖ字状に限定されず、側面視逆Ｕ字状やその他の不定形状を採用することも可能である（図示せず）。
【００１５】
吊り部１３は、物干し竿３に吊り下げられることにより洗濯物干し具１０の全体を支持する部分であり、後述する第１架橋桿２１と第２架橋桿２２の間に配設されている。本実施形態では、吊り部１３は、弧状部１３１と、弧状部１３１の後方側の端部から前方且つ下方に延出した垂下部１３２と、を有する側面視逆Ｊ字状の部分である。弧状部１３１の大きさは、物干し竿３に合わせて適宜設定することができる。もっとも、物干し竿３は、一般的に円柱状であるため、弧状部１３１はこの円柱状の物干し竿３に適合する適当な大きさの円弧状に形成されていることが好ましい。
具体的には、物干し竿３が円柱状である場合、図４に示すように、吊り部１３を物干し竿３に吊り下げた際、物干し竿３の外面の一点と、円弧状に形成された弧状部１３１の内面の一点が接する。この物干し竿３と弧状部１３１の接点Ｃにおいて、弧状部１３１の曲率半径Ｄ１は、物干し竿３の半径Ｄ２よりも十分に大きいことが好ましい。弧状部１３１の曲率半径Ｄ１と物干し竿３の半径Ｄ２（円柱の底面の半径）の比率（Ｄ１／Ｄ２）は、１３／１０〜３／１であることが好ましい。弧状部１３１が物干し竿３に比して大きすぎる場合、物干し竿３に吊り下げた洗濯物干し具１０が風などの影響により前後方向に大きく揺動し、それに伴って吊り下げられた衣服ハンガーも前後方向に揺動し、その結果、衣服が衣服ハンガーから脱落する虞がある。この点、弧状部１３１の曲率半径Ｄ１と物干し竿３の半径Ｄ２が上述の範囲内にあれば、物干し竿３に吊り下げた洗濯物干し具１０が前後方向に大きく揺動し難くなり、その結果、衣服ハンガーから衣服が脱落し難くなる。
また、図４に示すように、弧状部１３１の開口部の幅Ｄ３は、物干し竿３の半径Ｄ２よりも大きいことが好ましく、具体的には、弧状部１３１の開口部の幅Ｄ３と物干し竿３の半径Ｄ２の比率（Ｄ３／Ｄ２）は、１３／１０〜８／５であり、好ましくは６／５〜３／２である。
【００１６】
垂下部１３２は、弧状部１３１と取手部１２の間に介設されており、両者を強固に連結する部分である。本実施形態では、垂下部１３２は、取手部１２のＶ字の第２辺１２２に沿いつつ第２辺１２２と平行に連結された細い棒状の部分である。本実施形態では、垂下部１３２の長さは取手部１２の第２辺１２２よりも若干短い。
なお、特に図示しないが、吊り部１３は垂下部１３２を有していなくてもよく、この場合、吊り部１３の弧状部１３１が、垂下部１３２を介することなく、取手部１２のＶ字の頂部又は頂部近傍に直接連結される（図示せず）。また、垂下部１３２は、取手部１２のＶ字の第２辺１２２だけでなく、第２辺１２２と連接した離隔部１１にも沿って連結されていてもよい（図示せず）。
図４に示すように、吊り部１３の延出角度（吊り部１３が連結された取手部１２の第２辺１２２と離隔部１１の成す内角α）は特に限定されず、後述する第１仮想直線と鉛直線の成す内角βを考慮して適宜設定することができる。例えば、内角αは、１０°〜９０°であり、好ましくは１０°〜８０°であり、より好ましくは２０°〜８０°であり、さらに好ましくは３０°〜６０°である。
【００１７】
本実施形態では、本体部材１を構成する離隔部１１、取手部１２、及び吊り部１３は、それぞれ別体である３つの細い棒状部材から構成されており、これらの部材を適当な連結手段（例えば、これらの部材が金属からなる場合、溶接など）を用いて一体化することで本体部材１が構成されている。もっとも、本体部材１は、一枚の平板を打ち抜くことにより、離隔部１１、取手部１２、吊り部１３が連結手段を用いることなく一体的に構成されていてもよい。
離隔部１１、取手部１２、及び吊り部１３を構成する棒状部材の直径は特に限定されないが、洗濯物干し具１０の機械的強度と持ち運ぶ際の重量を考慮すると、好ましくは３ｍｍ〜８ｍｍであり、より好ましくは３ｍｍ〜５ｍｍである。
本体部材１の形成材料としては、鉄、ステンレス、アルミニウムなどの金属；ポリ塩化ビニルなどの合成樹脂；木材などを例示することができるが、好ましくは金属が用いられ、より好ましくはステンレス又はアルミニウムが用いられる。後述する補強部材４、第１及び第２架橋桿２１，２２、及び位置ずれ抑制部材５についても同様である。
【００１８】
本実施形態では、一対の本体部材１の間に補強部材４が設けられている。補強部材４は、後述する第１及び第２架橋桿２１，２２の幅方向における中途部に架設された真っ直ぐな細い棒状の部材である。補強部材４によって第１及び第２架橋桿２１，２２が補強されており、衣服ハンガーを多数吊り下げた際にその重みにより第１及び第２架橋桿２１，２２が歪むことを防止できる。
本実施形態では、図１に示すように、第１架橋桿２１の幅方向における中央部及び第２架橋桿２２の幅方向における中央部を結ぶように１本の補強部材４が架設されている。補強部材４の長さは、上述した離隔部１１と同じであることが好ましいが、離隔部１１よりも長くてもよい。
なお、補強部材４の数は１本に限定されず、２本以上であってもよい。補強部材４の数を増やすことで洗濯物干し具１０の強度をより高めることができる。もっとも、洗濯物干し具１０の軽量化を考慮すると、補強部材４の数は１〜３本であることが好ましく、１〜２本であることがより好ましい。補強部材４は、上述した本体部材１とは別体である棒状部材から構成されており、その直径は、特に限定されないが、好ましくは３ｍｍ〜８ｍｍであり、より好ましくは３ｍｍ〜５ｍｍである。
【００１９】
第１及び第２架橋桿２１，２２は、上述した一対の本体部材１に架設された、衣服ハンガーが吊り下げられる棒状部材である。第１架橋桿２１と第２架橋桿２２は、間隔を空けて配置されている。具体的には、本実施形態では、一対の離隔部１１の後端部に１本の棒状部材からなる第１架橋桿２１が架設されており、一対の離隔部１１の前端部に１本の棒状部材からなる第２架橋桿２２が架設されている。第１架橋桿２１と第２架橋桿２２は、平行であってもよく非平行であってもよいが、本実施形態では平行とされている。
なお、「平行」は、図１に示すように、離隔部１１を水平にした洗濯物干し具１０を斜視した際、第１架橋桿２１の軸心の仮想延長線Ｓ１と第２架橋桿の軸心の仮想延長線Ｓ２が完全に交叉しない場合（完全な平行状態）のみならず、両仮想延長線Ｓ１，Ｓ２が、０°より大きく３°以下の内角を構成するように交叉する状態（実質的な平行状態）を含んでおり、好ましくは０°より大きく２°以下の内角を構成するように交叉する状態を含んでいる。「非平行」は、完全な平行状態又は実質的な平行状態でない状態であり、具体的には、仮想延長線Ｓ１と仮想延長線Ｓ２が３°より大きな内角を構成するように交叉する状態である。
【００２０】
第１及び第２架橋桿２１，２２の太さは特に限定されず、適宜設定することができる。本実施形態では、第１及び第２架橋桿２１，２２は、共に、円柱状に構成されており、その太さは本体部材１の各部を構成する棒状部材よりも太い。具体的には、第１及び第２架橋桿２１，２２の太さ（円柱の底面の直径）は、５ｍｍ〜２０ｍｍであり、好ましくは７ｍｍ〜１５ｍｍである。
なお、本実施形態では、第１架橋桿２１と第２架橋桿は、互いに同形同大の円柱状に構成されているが、第１架橋桿２１と第２架橋桿２２は同形同大である必要はなく、例えば、第２架橋桿２２の太さを第１架橋桿２１よりも太く又は細くすることも可能である（図示せず）。また、第１架橋桿２１と第２架橋桿２２の重さは同じであってもよく、異なっていてもよい。第１架橋桿２１と第２架橋桿２２の重さを違えることで、後述する洗濯物干し具１０の傾き（内角β）を調整することができる。なお、本実施形態では、第１架橋桿２１と第２架橋桿２２は同じ重さとされている。第１及び第２架橋桿２１，２２は、中実状であってもよく中空状であってもよいが、洗濯物干し具１０の軽量化を考慮して、中空状であることが好ましい。
【００２１】
第１架橋桿２１と第２架橋桿２２の間の長さは、特に限定されないが、その下限値は２０ｃｍが好ましく、より好ましくは２５ｃｍであり、さらに好ましくは２９ｃｍである。また、その上限値は４５ｃｍが好ましく、より好ましくは４０ｃｍであり、さらに好ましくは３５ｃｍであり、特に好ましくは３２ｃｍである。
第１架橋桿２１と第２架橋桿２２の間の長さがこの範囲にあれば、洗濯物干し具１０を物干し竿３に吊り下げた際、第１架橋桿２１と第２架橋桿２２を前後方向及び上下方向に十分に離隔させることができる。なお、「第１架橋桿２１と第２架橋桿２２の間の長さ」は、図３に示す、第１架橋桿２１の軸心と第２架橋桿２２の軸心を結ぶ第１仮想直線Ｖ１の長さ（Ｌ１）に相当する。第１架橋桿２１と第２架橋桿が非平行である場合、第１仮想直線Ｖ１の長さ（Ｌ１）は、２以上想定されるが、そのうちの最小値が「第１架橋桿２１と第２架橋桿２２の間の長さ」である。
本実施形態では、第１架橋桿２１は一対の離隔部１１の後端部に架設されてており、第２架橋桿２２は第１架橋桿２１と平行となるように一対の離隔部１１の前端部に架設されている。そのため、第１仮想直線Ｖ１の長さ（Ｌ１）は、離隔部１１の長さと略等しい。
もっとも、第１架橋桿２１と第２架橋桿２２の位置は、後述する洗濯物干し具１０の傾き（内角β）を調整するために適宜変更することができ、例えば、第１架橋桿２１は一対の離隔部１１の後端部よりも前方に架設されていてもよく、第２架橋桿２２は一対の離隔部１１の前端部よりも後方に架設されていてもよい（図示せず）。
【００２２】
図３に示すように、本発明では、洗濯物干し具１０を物干し竿３に吊り下げた際、第１架橋桿２１が第２架橋桿２２よりも上方に位置する。即ち、洗濯物干し具１０は、前方から後方にかけて上方に傾いた状態で物干し竿３に吊り下げられる。これは、洗濯物干し具１０の第２架橋桿２２が位置する側の方が第１架橋桿２１が位置する側よりも重いためである。
具体的には、図３に示すように、洗濯物干し具１０を物干し竿３に吊り下げ、吊り部１３と物干し竿３の接点Ｃを通り且つ第１仮想直線Ｖ１に交点Ｘで直交する第２仮想直線Ｖ２によって洗濯物干し具１０を前後の２部分に分割したと仮定した場合、洗濯物干し具１０の第２仮想直線Ｖ２よりも前側（第２架橋桿２２が位置する側）の部分が、第２仮想直線Ｖ２よりも後ろ側（第１架橋桿２１が位置する側）の部分よりも重い。このように、第２仮想直線Ｖ２で分割される前後の２部分に重さの偏りがあると、洗濯物干し具１０を物干し竿３に吊り下げた際、第１架橋桿２１が第２架橋桿２２よりも上方に位置する。
前後の２部分の重さに偏りを生じさせるには、例えば、吊り部１３の位置を前後にずらすことや、第２架橋桿の重さを第１架橋桿１よりも重くすることや、第１及び第２架橋桿２１，２２の位置を前後にずらすことなどが考えられる。これらを適宜調整することで、洗濯物干し具１０の傾きを調整することが可能である。
洗濯物干し具１０の傾きは特に限定されず、その下限値は好ましくは１０°であり、より好ましくは２０°であり、さらに好ましくは３０°であり、特に好ましくは５５°である。また、その上限値は好ましくは８０°であり、より好ましくは７０°であり、さらに好ましくは６５°である。なお、「洗濯物干し具１０の傾き」は、図３に示すように、第１仮想直線Ｖ１が鉛直線と成す内角βに相当する。内角βがこの範囲にあれば、洗濯物干し具１０を物干し竿３に吊り下げた際、第１架橋桿２１と第２架橋桿２２を前後方向及び上下方向に十分に離隔させることができる。
【００２３】
本発明の洗濯物干し具１０では、吊り部１３が、第１架橋桿２１と第２架橋桿２２の間に配設されており、且つ、吊り部１３を物干し竿３に吊り下げた際、第１架橋桿２１が第２架橋桿２２よりも上方に位置するように構成されている。そのため、吊り部１３を物干し竿３に吊り下げると、図３に示すように、第１架橋桿２１と第２架橋桿２２が、上下方向及び前後方向に位置ずれする。
従って、図５に示すように、本発明の洗濯物干し具１０は、第１架橋桿２１に吊り下げた衣服ハンガーの厚肉部Ｔ１と第２架橋桿２２に吊り下げられた衣服ハンガーの厚肉部Ｔ２が干渉し難く、その結果、衣服ハンガーを詰めて吊り下げることができる。従って、本発明の洗濯物干し具１０を用いれば、物干し竿３のみを用いる場合に比して、より多くの衣服ハンガーを吊り下げることができる。
【００２４】
ここで、本発明では、洗濯物干し具１０の吊り部１３を物干し竿３に吊り下げた状態において、第１架橋桿２１の位置は、物干し竿３と略同じ高さ又は物干し竿３よりも上方となることが好ましい。
第１架橋桿２１の位置が物干し竿３と略同じ高さ又は物干し竿３よりも上方であれば、第１架橋桿２１により丈の長い衣服ハンガーを吊り下げることが可能である。このような位置関係を実現するには、上述した洗濯物干し具１０の傾き（内角β）にも依るが、第２仮想直線Ｖ２で分割される後方の部分（第１架橋桿２１が位置する側）の前後方向における長さが比較的長いこと、及び、第２仮想直線Ｖ２が比較的短いことが好ましい。
これを考慮すると、図３に示すように、第２仮想直線Ｖ２の一部であって、接点Ｃから第１仮想直線Ｖ１との交点Ｘに至るまでの長さ（Ｌ２）と第１仮想直線Ｖ１の一部であって、第１架橋桿２１の軸心から交点Ｘに至るまでの長さ（Ｌ１ａ）の比率（Ｌ２／Ｌ１ａ）の下限値は、好ましくは２／５であり、より好ましくは３／５である。また、その上限値は、好ましくは８／５であり、より好ましくは７／５である。該比率がこの範囲にあれば、洗濯物干し具１０を物干し竿３に吊り下げた際、第１架橋桿２１が物干し竿３と略同じ高さ又は物干し竿３よりも高く位置し易い。
また、接点Ｃから交点Ｘに至る第２仮想直線Ｖ２の長さ（Ｌ２）と第１仮想直線Ｖ１の長さ（Ｌ１）の比率（Ｌ２／Ｌ１）の下限値は、好ましくは１／５であり、より好ましくは２／５である。また、この比率の上限値は、好ましくは９／１０であり、より好ましくは７／１０である。比率がこの範囲内にあれば、洗濯物干し具１０を物干し竿３に吊り下げた際、第１架橋桿２１が物干し竿３と略同じ高さ又は物干し竿３よりも高く位置し易い。
【００２５】
このように、本発明の洗濯物干し具１０は、吊り部１３が、第１架橋桿２１と第２架橋桿２２の間に配設されており、吊り部１３を物干し竿３に吊り下げた際、第１架橋桿２１が第２架橋桿２２よりも上方に位置するように構成されている。
そのため、第１架橋桿２１に吊り下げた衣服ハンガーの厚肉部と第２架橋桿２２に吊り下げられた衣服ハンガーの厚肉部が干渉し難い。そのため、物干し竿３を利用してより多くの衣服ハンガーを吊り下げることのできる。
【００２６】
［第２実施形態］
第２実施形態に係る洗濯物干し具１０は、第１実施形態から第１及び第２架橋桿２１，２２の構成を変更している。
具体的には、第１実施形態では第１及び第２架橋桿２１，２２は、共に本体部材１よりも径の太い１本の棒状部材から構成されているが、本実施形態では、図６及び図７に示すように、第１架橋桿２１は、複数の（図６及び図７に示す例では２本）の細い棒状部材２１ａ，２１ｂによって構成されており、第２架橋桿２２も同様に、複数の（図６及び図７に示す例では２本）の細い棒状部材２２ａ，２２ｂによって構成されている。
第１架橋桿２１を構成する２本の棒状部材２１ａ，２１ｂは、離隔部１１によって離隔されており、後方の棒状部材２１ａと前方の棒状部材２１ｂの間の長さ（棒状部材２１ａの軸心と棒状部材２１ｂの軸心の間の長さ）は特に限定されず、例えば５ｍｍ〜４０ｍｍであり、好ましくは２０ｍｍ〜３０ｍｍであり、さらに好ましくは２５ｍｍ〜２６ｍｍである。２本の棒状部材２１ａ，２１ｂは、断面視円形状であってもよく、断面視多角形状であってもよく、断面視不定形状であってもよい。また、２本の棒状部材２１ａ，２１ｂは、中空状であってもよく、中実状であってもよい。第２架橋桿２２を構成する２本の棒状部材（後方の棒状部材２２ａと前方の棒状部材２２ｂ）についても同様である。
このように、第１及び第２架橋桿２１，２２を複数の細い棒状部材によって構成することにより、第１及び第２架橋桿２１，２２の重量を軽減させることができ、洗濯物干し具１０を持ち運び容易にすることができる。
【００２７】
また、図８に示すように、衣服ハンガーのハンガーフック部がピンチ型（一対の挟持片がばねによって開閉自在に連結されたもの）である場合、第１架橋桿２１をピンチ型のハンガーフック部で挟持することができる。第１架橋桿２１は、２本の細い棒状部材２１ａ，２１ｂによって構成されているため撓み易い。そのため、ピンチ型のハンガーフック部によって第１架橋桿２１を挟持すると、２本の棒状部材２１ａ，２１ｂの撓みによって生じる反発力によって、より強固にピンチ型のハンガーフック部を第１架橋桿２１に挟持させることができる。
これを考慮すると、第１架橋桿２１，２２を構成する２本の棒状部材２１ａ，２１ｂの直径は、好ましくは３ｍｍ〜８ｍｍであり、より好ましくは４ｍｍ〜５ｍｍである。第２架橋桿２２を構成する２本の棒状部材２２ａ，２２ｂについても同様である。
【００２８】
また、本実施形態では、図６及び図７に示すように、第１架橋桿２１を構成する後方の棒状部材２１ａは、離隔部１１の後端部よりもやや前方に架設されている。棒状部材２１ａをこのような配置とすれば、第１架橋桿２１に吊り下げた衣服ハンガーが風などの影響によって幅方向に滑動した際、離隔部１１の後端部がストッパーとなって第１架橋桿２１から衣服ハンガーが滑落し難くなる。離隔部１１の後端部から棒状部材２１ａまでの距離は特に限定されないが、通常５ｍｍ〜１０ｍｍであり、好ましくは６ｍｍ〜８ｍｍである。
【００２９】
なお、本実施形態のように、第１架橋桿２１が複数の棒状部材２１ａ，２１ｂによって構成されている場合、「第１架橋桿２１の軸心」は、図７に示すように、最も後方に位置する棒状部材２１ａの最後点と、最も前方に位置する棒状部材２１ｂの最前点と、を結ぶ第３仮想線Ｖ３を直径とする底面を有する仮想円柱部材ＶＣの軸心に相当する。第１架橋桿２１が２本の棒状部材２１ａ，２１ｂによって構成されている場合、その軸心は後方の棒状部材２１ａの軸心と前方の棒状部材２１ｂの軸心の中間地点に位置する。「第２架橋桿２２の軸心」についても同様である。
【００３０】
［第３実施形態］
第３実施形態に係る洗濯物干し具１０は、第１実施形態から第１架橋桿２１及び第２架橋桿２２の構成を変更している。
具体的には、図９（ａ）では、第１架橋桿２１と第２架橋桿２２は、底面が楕円の円柱状であり、図９（ｂ）では、第１架橋桿２１と第２架橋桿２２は、底面が長方形の角柱状である。本実施形態でも、第１実施形態と同様に第１架橋桿２１及び第２架橋桿２２に衣服ハンガーを吊り下げることができる。
なお、特に図示しないが、第１架橋桿２１を図９（ａ）で示すような底面が楕円の円柱状とし、且つ、第２架橋桿２２を図９（ｂ）で示すような底面が長方形の角柱状とすることも可能である。
【００３１】
［第４実施形態］
第４実施形態に係る洗濯物干し具１０は、第２実施形態から第１架橋桿２１の構成を変更している。
具体的には、本実施形態では、図１０乃至図１２に示すように、第１架橋桿２１を構成する後方の棒状部材２１ａに位置ずれ抑制部材５が設けられている。位置ずれ抑制部材５は、第１架橋桿２１に吊り下げられた衣服ハンガーが幅方向へ滑動（即ち、位置ずれ）することを抑制する部材である。
本実施形態では、図１０及び図１１に示すように、位置ずれ抑制部材５は、後方の棒状部材２１ａの軸方向（幅方向）に沿って延びる波状部材を有している。具体的には、位置ずれ抑制部材５は、上方に突出した山部５１と下方に窪んだ谷部５２が交互に繰り返されていると共に、全体として幅方向に波状にうねりながら延びる線状部材である。山部５１を構成する線材の一部は、それと隣り合う谷部５２を構成する線材の一部と共通である。
本実施形態では、位置ずれ抑制部材５の山部５１の頂（以下、山頂部５１１と称する）が第１架橋桿２１を構成する後方の棒状部材２１ａよりも上方に突出しており、且つ、その谷部５２の底（以下、谷底部５２１と称する）が後方の棒状部材２１ａに連結されている。山部５１の下端開口部は後方の棒状部材２１ａによって閉塞されており、これによって略三角形状の環部５３が構成されている。他方、谷部５２の上端開口部は、閉塞されていない。
衣服ハンガーは、この谷底部５２１及び／又は環部５３に吊り下げることが可能である。衣服ハンガーを谷底部５２１に吊り下げると、谷底部５２１の両隣に位置する山部５１によって衣服ハンガーが谷底部５２１を超えて幅方向に滑動（位置ずれ）することを抑制できる。同様に、衣服ハンガーを環部５３に吊り下げると、環部５３を構成する山部５１によって衣服ハンガーが山部５１を超えて幅方向に滑動（位置ずれ）することを抑制できる。即ち、本実施形態では、位置ずれ抑制部材５が有する谷底部５２１及び環部５３によって、各衣服ハンガーの吊り下げ位置が幅方向において所定範囲に制限されている。
【００３２】
本実施形態では、谷部５２はＶ字状に形成されており、Ｖ字の一辺の下端部と他辺の下端部が直接連結されている（即ち、Ｖ字の一辺の下端部と他辺の下端部の間に、第３辺が介在していない）。従って、衣服ハンガーを谷部５２に吊り下げると、衣服ハンガーのハンガーフックが谷底部５２１に嵌まり込み、衣服ハンガーが実質的に幅方向に位置ずれしない。他方、環部５３は三角形状に形成されており、三角形の底辺は後方の棒状部材２１ａに相当する。即ち、環部５３の底は、ある程度の幅を有する。従って、衣服ハンガーを環部５３に吊り下げると、衣服ハンガーは、環部５３の底の幅の分だけ位置ずれが許容される。
各谷底部５２１の間隔Ｐは特に限定されず、吊り下げる衣服ハンガーの厚肉部の厚さなどを考慮して適宜設定することができるが、通常２ｃｍ〜５ｃｍであり、好ましくは２ｃｍ〜３ｃｍであり、より好ましくは２．３ｃｍ〜３ｃｍである。谷部５２と環部５３の数は、特に限定されないが、通常それぞれ５〜２５個であり、好ましくは１５〜２５個であり、より好ましくは１７〜２０個である。また、山部５１の高さ（谷底部５２１と山頂部５１１の高低差）は、特に限定されないが、通常２ｃｍ〜１０ｃｍであり、好ましくは２ｃｍ〜８ｃｍであり、より好ましくは４ｃｍ〜６ｃｍである。位置ずれ抑制部材５の線径は特に限定されず、それが連結される後方の棒状部材２１ａと略同じであってもよく、後方の棒状部材２１ａよりも太くてもよい。
また、図１２に示す、位置ずれ抑制部材５と離隔部１１の成す内角γは特に限定されないが、好ましくは６０°〜９０°であり、より好ましくは７０°〜８５°である。なお、図示例では、内角γは９０°とされている。
【００３３】
第１架橋桿２１が位置ずれ抑制部材５を有さない場合、第１架橋桿２１に吊り下げられた複数の衣服ハンガーが風に揺られることにより、複数の衣服ハンガーが幅方向一方側に位置ずれして偏る虞がある。複数の衣服ハンガーが幅方向一方側に偏ると、隣り合う衣服ハンガーが接触することにより風通しが悪くなり、その結果、洗濯した衣服が乾き難くなる虞がある。これに対し、本実施形態では、第１架橋桿２１が位置ずれ抑制部材５を有するため、第１架橋桿２１に吊り下げられた複数の衣服ハンガーが風に揺られて幅方向一方側に偏らない。そのため、隣り合う衣服ハンガーが接触し難く、風通しが良い状態を保つことができ、その結果、衣服を早く乾かすことができる。
なお、特に図示しないが、位置ずれ抑制部材５は、第１架橋桿２１を構成する前方の棒状部材２１ｂに連結されていてもよい。この場合でも本実施形態と同様の効果を奏する。
【００３４】
［第５実施形態］
第５実施形態に係る洗濯物干し具１０は、第１実施形態から第２架橋桿２２の構成を変更している。具体的には、本実施形態では、図１３に示すように、第２架橋桿２２には、衣服ハンガーの位置ずれを抑制する位置ずれ抑制部材５が設けられている。
本実施形態において、位置ずれ抑制部材５は、第４実施形態と同様の波状部材を有している。もっとも、本実施形態では、位置ずれ抑制部材５の上方に突出した山部５１の頂き５１１が第２架橋桿２２に連結されており、位置ずれ抑制部材５の谷底部５２１は、第２架橋桿２２よりも下方に位置している。
本実施形態でも、第４実施形態と同様、位置ずれ抑制部材５の谷底部５２１に衣服ハンガーを吊り下げることにより、複数の衣服ハンガーを幅方向一方側に偏らせることなく吊り下げることができる。なお、本実施形態では、山部５１の開口部は第２架橋桿２２によって閉塞されていないため、第４実施形態のような環部５３が形成されず、それ故、環部５３に衣服ハンガーを吊り下げることはできない。位置ずれ抑制部材５の寸法は特に限定されず、第４実施形態と同様の値とすることが可能である。
【００３５】
［第６実施形態］
第６実施形態に係る洗濯物干し具１０は、第４実施形態から位置ずれ抑制部材５の構成を変更している。
具体的には、本実施形態では、図１４に示すように、位置ずれ抑制部材５の谷底部５２１は、第１架橋桿２１と平行に延びる直線状に形成されており、ある程度の幅を有する。そのため、谷底部５２１に吊り下げられた衣服ハンガーは、谷底部５２１の幅の分だけ幅方向に位置ずれが許容される。谷底部５２１の幅は特に限定されないが、通常２ｍｍ〜５ｍｍである。なお、図面上では、谷底部５２１の幅を分かりやすくするため、幅広に描写している。
本実施形態は、谷底部５２１において衣服ハンガーの位置ずれがある程度許容されているものの、谷部５２の両隣に位置する山部５１によって衣服ハンガーの位置ずれが抑制されている。そのため、第４実施形態と同様、複数の衣服ハンガーが幅方向一方側に偏ることを防止できる。
【００３６】
［第７実施形態］
第７実施形態に係る洗濯物干し具１０は、第４実施形態から位置ずれ抑制部材５の構成を変更している。
具体的には、図１５に示すように、本実施形態では、第１架橋桿２１の後方の棒状部材２１ａの幅方向に沿って上方に突出した複数の突起を位置ずれ抑制部材５として用いている。具体的には、本実施形態において位置ずれ抑制部材５は、上方に突出した第１突部５３と第２突部５４を有する背面視凹字状の突起である。第１突部５３と第２突部５４の間及び／又は各位置ずれ抑制部材５の間に衣服ハンガーを吊り下げることができる。
第１突部５３と第２突部５４の間隔は特に限定されないが、０．５ｃｍ〜３ｃｍであることが好ましく、１ｃｍ〜２ｃｍであることがより好ましく、１．３ｃｍ〜１．５ｃｍであることがさらに好ましい。隣り合う位置ずれ抑制部材５の間隔は特に限定されないが、通常、３ｃｍ〜１０ｃｍであり、好ましくは３ｃｍ〜８ｃｍであり、より好ましくは３ｃｍ〜５ｃｍである。第１突部５３と第２突部５４の高さも特に限定されないが、それぞれ０．５ｃｍ〜２ｃｍであることが好ましい。
本実施形態でも、第１突部５３と第２突部５４の間及び／又は各位置ずれ抑制部材５の間に衣服ハンガーを吊り下げることにより、衣服ハンガーの幅方向への位置ずれが抑制され、その結果、第４実施形態と同様、複数の衣服ハンガーが幅方向一方側に偏ることを防止できる。
【００３７】
［第８実施形態］
第８実施形態に係る洗濯物干し具１０は、第２実施形態から第１及び第２架橋桿２１，２２の構成を変更している。
具体的には、本実施形態では、図１６乃至図１８に示すように、第１架橋桿２１の後方の棒状部材２１ａには、波状部材を有する位置ずれ抑制部材５が設けられており、第２架橋桿２２の前方の棒状部材２２ｂには、波状部材を有する位置ずれ抑制部材５が設けられている。以下、第１架橋桿２１に設けられた位置ずれ抑制部材５と第２架橋桿２２に設けられた位置ずれ抑制部材５を区別するため、前者を第１波状部材５ａと称し、後者を第２波状部材５ｂと称する。また、第１波状部材５１が有する複数の谷部及び谷底部をそれぞれ第１谷部５２ａ及び第１谷底部５２１ａと称し、第２波状部材５が有する複数の谷部及び谷底部をそれぞれ第２谷部５２ｂ及び第２谷底部５２１ｂと称する。
【００３８】
本実施形態では、吊り部１３を物干し竿３に吊り下げた際、第１波状部材５ａの谷部５２ａの位置と第２波状部材５ｂの谷部５２ｂの位置が、物干し竿３の軸方向（幅方向）において位置ずれしている。
具体的には、図１８に示すように、吊り部１３を物干し竿３に吊り下げて洗濯物干し具を正面視した際、第１谷底部５２１ａと第２谷底部５２１ｂを結ぶ第４仮想直線Ｖ４が想定可能であるが、この第４仮想直線Ｖ４は、正面視において鉛直線に対して非平行とされている。即ち、第１谷底部５２１ａと第２谷底部５２１ｂは、幅方向において位置ずれしている。
なお、第４仮想直線Ｖ４は、１つの第１谷底部５２１ａに対して複数（第２谷底部５２１ｂの数だけ）想定されるが、この複数想定される第４仮想直線Ｖ４は、全て鉛直線に対して非平行とされている。もっとも、図１８では、便宜上、１本の第４仮想直線Ｖ４だけを図示している。また、第１谷底部５２１ａ及び第２谷底部５２１ｂが、第６実施形態のようにある程度の幅を有する場合、第４仮想直線Ｖ４は、第１谷底部５２１ａ上の任意の一点と、第２谷底部５２１ｂ上の任意の一点を結ぶ仮想直線に相当する。このような仮想直線は無数に想定されるが、この無数に想定される仮想直線の全てが鉛直線に対して非平行とされている。
【００３９】
このように第１谷底部５２１ａと第２谷底部５２１ｂが幅方向において位置ずれしていると、第１波状部材５ａの谷底部５２１ａに吊り下げた衣服ハンガーが、第２波状部材５ｂの谷底部５２１ｂに吊り下げた衣服ハンガーと接触し難い。従って、多数の衣服ハンガーを吊り下げた場合でも風通しがよく、衣服を早く乾かすことができる。
第１波状部材５ａの谷底部５２１ａと、それと最も近い第２波状部材５ｂの谷底部５２１ｂの幅方向における離隔距離Ｇは特に限定されないが、好ましくは１ｃｍ〜３ｃｍであり、より好ましくは１．５ｃｍ〜２ｃｍである。
【００４０】
［第９実施形態］
第９実施形態に係る洗濯物干し具１０は、第８実施形態から第１架橋桿２１に設けられた第１波状部材５ａの構成、又は、第２架橋桿２２に設けられた第２波状部材５ｂの構成を変更している。
具体的には、第８実施形態では、第１波状部材５ａは、第１架橋桿２１の後方の棒状部材２１ａよりも上方に突出するように設けられており、且つ、第２波状部材５ｂは、第２架橋桿２２の前方の棒状部材２２ｂよりも下方に突出するように設けられている。しかし、第１及び第２波状部材５ｂ５ａ，５ｂは、互いに同じ方向に突出するように設けられていてもよい。
具体的には、図１９（ａ）に示すように、第１波状部材５ａは、第２波状部材５ｂと同様、その谷部が後方の棒状部材２１ａよりも下方に突出されていてもよく、図１９（ｂ）に示すように、第２波状部材５ｂは、第１波状部材５ａと同様、その山部が前方の棒状部材２２ｂよりも上方に突出されていてもよい。また、第１波状部材５ａは、図１９（ａ）に示すように、後方の棒状部材２１ａの幅方向全域に設けられていなくてもよく、同様に、第２波状部材５ｂは、図１９（ｂ）に示すように、前方の棒状部材２２ｂの幅方向全域に設けられていなくてもよい。
このような場合であっても、第８実施形態と同様、吊り下げた衣服ハンガーの幅方向への滑動を規制することができる。
【００４１】
［第１０実施形態］
第１０実施形態に係る洗濯物干し具１０は、第１実施形態から第２架橋桿２２の構成を変更している。
具体的には、図２０に示すように、本実施形態では、第２架橋桿２２として第５実施形態に示す位置ずれ抑制部材５と同様な波状部材を用いている。即ち、本実施形態では、第２架橋桿２２は、位置ずれ抑制手段５を兼ねている。本実施形態でも、第４実施形態と同様、複数の衣服ハンガーを幅方向一方側に偏らせることなく吊り下げることができる。
【００４２】
［第１１実施形態］
第１１実施形態に係る洗濯物干し具１０は、第１実施形態から本体部材１の構成を変更している。
第１実施形態では、本体部材１は、それぞれ別体である、吊り部１３、離隔部１１、及び取手部１２を有しているが、本実施形態では、図２１に示すように、一対の離隔部１１のみによって本体部材１が構成されている。即ち、本実施形態では、一対の本体部材１の離隔部１１が吊り部１３を兼ねており、本体部材１は取手部１２を有さない。離隔部１１は、それぞれ、第１架橋桿２１から前方且つ上方に延びる第１棒状部１１ａと、第２架橋桿から後方且つ上方に延びる第２棒状部１１ｂと、第１架橋桿２１と第２架橋桿２２の間において第１棒状部１１ａと第２棒状部１１ｂの端部に架設された上方に延びる逆Ｕ字状のフック部１１ｃ（吊り部１３）を有する。このフック部１１ｃを介して洗濯物干し具１０を物干し竿に吊り下げることができる。
【００４３】
［第１２実施形態］
第１２実施形態に係る洗濯物干し具１０は、第１１実施形態から本体部材１の構成を変更している。
第１１実施形態では、一対の離隔部１１が吊り部１３を兼ねていたが、本実施形態では、図２２に示すように、一対の離隔部１１はフック部１１ｃを有さず、離隔部１１には別体である吊り部１３が設けられている。吊り部１３は、第１実施形態と同様に、弧状部１３１と、弧状部１３１の端部から下方且つ前方に延びる垂下部１３２を有している。本実施形態では、離隔部１１の第２棒状部材１１ｂに沿うように吊り部１３の垂下部１３２が連結されている。
従って、本実施形態でも、第１実施形態と同様に洗濯物干し具１０を物干し竿３に吊り下げることができる。
【００４４】
［第１３実施形態］
第１３実施形態に係る洗濯物干し具１０は、第２実施形態から第１及び第２架橋桿２１，２２の構成を伸縮可能に変更すると共に、一対の本体部材１のうち一方の本体部材１の離隔部１１に脱落防止部材が設けられている。
具体的には、本実施形態では、図２３に示すように、第１架橋桿２１を構成する２つの棒状部材２１ａ，２１ｂが、それぞれ中空状の筒部材２１１と、筒部材２１１に出退可能な挿入部材２１２と、を有する。挿入部材２１２は筒部材２１１の内径よりも小さな外径を有する棒状部材である。第２架橋桿２２を構成する２つの棒状部材２２ａ，２２ｂも第１架橋桿２１と同様に、筒部材２２１と、挿入部材２２２を有する。
従って、本実施形態では、第１及び第２架橋桿２１，２２の挿入部材２１２，２２２をその筒部材２１１，２２１に挿入することで、第１及び第２架橋桿２１，２２を幅方向に縮ませることができ、第１及び第２架橋桿２１，２２の挿入部材２１２，２２２をその筒部材２１１，２２１から退出させることで第１及び第２架橋桿２１，２２を幅方向に伸ばすことができる。そのため、洗濯物干し具１０を使用する際、物干し竿３の長さに合わせて洗濯物干し具１０の幅を調整して使用することが可能であり、洗濯物干し具１０を使用しない時には、それを縮めてコンパクトにして保管しておくことが可能である。
筒部材２１１，２２１の内径は、特に限定されないが、０．５ｃｍ〜１ｃｍであることが好ましく、０．６ｃｍ〜０．９ｃｍであることがより好ましく、０．７ｃｍ〜０．９ｃｍであることがより好ましい。また、挿入部材２１２，２２２の直径は、筒部材２１１，２２１へ挿入可能であれば（即ち、筒部材２１１，２２１の内径よりも小さければ）特に限定されず、０．４ｃｍ〜０．９ｃｍであることが好ましく、０．５ｃｍ〜０．８ｃｍであることがより好ましい。なお、挿入部材２１２，２２２は、中空状であってもよく中実状であってもよい。
【００４５】
また、本実施形態では、退出させた挿入部材２１２，２２２が筒部材２１１，２２１から抜け落ち、一方の本体部材１（挿入部材２１２，２２２が連結された本体部材１）が他方の本体部材１（筒部材２１１，２２１が連結された本体部材１）と分離することを防ぐため、一方の本体部材１の離隔部１１に、幅方向に延出した脱落防止部材６が設けられている。
脱落防止部材６は、第１及び第２架橋桿２１，２２と平行に延びる棒状部材であるが、その先端にフック部６１を有する。本実施形態では、第１及び第２架橋桿２１，２２を構成する筒部材２１１，２２１の端部に第１補強部材４１が架設されており、この第１補強部材４１は脱落防止部材６と連結されていない。そのため、挿入部材２１２，２２２を筒部材２１１，２２１から出退させると、脱落防止部材６は、第１補強部材４１の上方を幅方向に移動することができる。そして、挿入部材２１２，２２２を筒部材２１１，２２１から退出させた際に、脱落防止部材６のフック部６１を第１補強部材４１に掛止することが可能である。従って、本実施形態では、退出させた挿入部材２１２，２２２が筒部材２１１，２２１から抜け落ち、一方の本体部材１と他方の本体部材１が分離することを防止できる。
なお、図２３に示すように、本実施形態では、一方の本体部材１（挿入部材２１２，２２２が連結された本体部材１）の幅方向中途部において、第１架橋桿２１と第２架橋桿２２に架設された第２補強部材４２が設けられている。この第２補強部材４２は、脱落防止部材６を補強するために、脱落防止部材６と連結されている。
【００４６】
［第１４実施形態］
第１４実施形態に係る洗濯物干し具１０は、第１実施形態から本体部材１の構成を変更していると共に、第１架橋桿２１と第２架橋桿２２の間に第３架橋桿２３を設けている。
具体的には、本実施形態では、図２４に示すように、本体部材１の離隔部１１と取手部１２が、一本の真っ直ぐな線状部材の中途部を屈曲させることにより、一体的に形成されている。そのため、本実施形態では、取手部１２のＶ字の開口部が離隔部１１によって閉塞されていない。このような態様であっても、洗濯物干し具１０の使用者は取手部１２を掴んで洗濯物干し具１０を持ち運びすることが可能である。
また、本実施形態では、離隔部１１と取手部１２の２つの境界部のうち、第２架橋桿２２の側（前方側）の境界部に第３架橋桿２３が架設されている。第３架橋桿２３が設けられていれば、洗濯物干し具１０の使用者は、この第３架橋桿２３に衣服ハンガー以外の洗濯物（例えば、靴下やネクタイなど）を吊り下げることができ、より多くの洗濯物を乾かすことが可能である。
【００４７】
［第１５実施形態］
第１５実施形態に係る洗濯物干し具１０は、第１実施形態から本体部材１の構成を変更している。
具体的には、図２５に示すように、本実施形態では、本体部材１は、物干し竿３に吊り下げられる側面視逆Ｕ字状の線状部材であり第１パーツ１４と、第１架橋桿２１が設けられた線状部材である第２パーツ１５と、第２架橋桿２２が設けられた線状部材である第３パーツ１６と、を有している。
第１パーツ１４は、上下方向に延びる２本の垂下部１４ａ，１４ｂと、両垂下部１４ａ、１４ｂの両端部を繋ぐ弧状部１４ｃ（吊り部１３に相当）を有しており、後述する連結部材６によって、後方の垂下部１４ａと第２パーツ１５及び前方の垂下部１４ｂと第３パーツ１６が連結されている。
第２パーツ１５は、上下方向に延びる２本の垂下部１５ａ，１５ｂが弧状部１５ｃによって互いに平行となるように繋がれた側面視Ｕ字状の部材であり、上下方向に延びる垂下部１５ａ，１５ｂのうち、後方の垂下部１５ａは、前方の垂下部１５ｂよりも上方に（本実施形態では、第１パーツ１４よりも上方に）延びるように設けられており、その上端部には第１架橋桿２１が設けられている。他方、前方の垂下部１５ｂの上端部は、第１パーツ１４と後述する連結部材６を介して連結されている。
第３パーツ１６は、第２パーツ１５と同様、上下方向に延びる２本の垂下部１６ａ，１６ｂが弧状部１６ｃによって互いに平行となるように繋がれた側面視Ｕ字状の部材であり、上下方向に延びる垂下部１６ａ，１６ｂのうち、後方の垂下部１６ａの上端部は、第１パーツ１４と後述する連結部材６を介して連結されている。他方、前方の垂下部１６ｂは、その上端部が第１パーツ１４よりも下方に位置するように設けられており、その上端部には第２架橋桿２２が設けられている。
【００４８】
本実施形態では、第１パーツ１４に連結部材６を介して第２パーツ１５及び第３パーツ１６が連結されている。そのため、連結部材６を取り外すことにより、洗濯物干し部１０を３つに分割することができる。従って、洗濯物干し具１０を使用しない場合、これを分割してコンパクトに収納することができる。
連結部材６は、特に限定されないが、本実施形態では、上下方向に貫通した２つの孔部を有する弾性部材を連結部材６として用いている。第１パーツ１４と第３パーツ１６を連結する前方の弾性部材６は、第１パーツ１４の前方の垂下部１４ｂが挿入される孔部（その直径は第１パーツ１４の前方の垂下部１４ｂの直径よりも小さい）と、第３パーツ１６の後方の垂下部１６ａが挿入される孔部（その直径は第３パーツ１６の後方の垂下部１６ａの直径よりも小さい）と、を有している。従って、これらの孔部に第１パーツ１４の前方の垂下部１４ｂ及び第３パーツ１６の後方の垂下部１６ｂを嵌め入れることにより、第１パーツ１４と第３パーツ１６が連結部材６を介して連結される。このような弾性部材の形成材料としては、例えば、ゴムなどが挙げられる。
同様に、第１パーツ１４と第２パーツ１５を連結する後方の弾性部材６は、第１パーツ１４の後方の垂下部１４ａが挿入される孔部（その直径は第１パーツ１４の後方の垂下部１４ａの直径よりも小さい）と、第２パーツ１５の前方の垂下部１５ｂが挿入される孔部（その直径は第２パーツ１５の前方の垂下部１５ｂの直径よりも小さい）と、を有している。
なお、連結部材６は弾性部材に限定されず、例えば、紐状部材を採用することもできる（図示せず）。紐状部材を用いる場合、第１パーツ１４と第２パーツ１５、及び、第１パーツ１４と第３パーツ１６を紐状部材によって結ぶことで連結される。
【００４９】
なお、本発明の洗濯物干し具１０は、第１乃至第１５実施形態で示した具体的な構成に限定されず、本発明の意図する範囲内で、各実施形態の構成を組み合わせるなど、適宜設計変更することができる。
例えば、第１実施形態の本体部材１に代えて第１２実施形態の本体部材１を採用してもよく、第１２実施形態の第１及び第２架橋桿２１，２２が位置ずれ抑制部材を有していてもよく、第８実施形態の位置ずれ抑制部材が第７実施形態で示す凹字状の部材であってもよい。
【符号の説明】
【００５０】
１０  洗濯物干し具
１  本体部材
１１  離隔部
１２  取手部
１３  吊り部
２１  第１架橋桿
２２  第２架橋桿
３  物干し竿
５  位置ずれ抑制部材
Ｖ１  第１仮想直線
Ｖ２  第２仮想直線
Ｖ３  第３仮想直線
Ｖ４  第４仮想直線
【図１】
2019000246.tif 000003
【図２】
2019000246.tif 000004
【図３】
2019000246.tif 000005
【図４】
2019000246.tif 000006
【図５】
2019000246.tif 000007
【図６】
2019000246.tif 000008
【図７】
2019000246.tif 000009
【図８】
2019000246.tif 000010
【図９】
2019000246.tif 000011
【図１０】
2019000246.tif 000012
【図１１】
2019000246.tif 000013
【図１２】
2019000246.tif 000014
【図１３】
2019000246.tif 000015
【図１４】
2019000246.tif 000016
【図１５】
2019000246.tif 000017
【図１６】
2019000246.tif 000018
【図１７】
2019000246.tif 000019
【図１８】
2019000246.tif 000020
【図１９】
2019000246.tif 000021
【図２０】
2019000246.tif 000022
【図２１】
2019000246.tif 000023
【図２２】
2019000246.tif 000024
【図２３】
2019000246.tif 000025
【図２４】
2019000246.tif 000026
【図２５】
2019000246.tif 000027